(57)【要約】【課題】制御された環境で伝送を認証し、ルーティングし、伝達するための方法論を提供することにより、それらの要求を満たす。【解決手段】伝送を収集して伝達するための本発明による方法は、ソースによりダイヤルされる１組のディジットをプラットフォームにルーティングし、ディジットがデスティネーション、イベントトリガ、または記憶されて転送される内容を表すかどうかをプラットフォームで決定し、その決定に基づいて動作するステッブから成る。【選択図】図１
2011193478.tif 000002
【特許請求の範囲】
【請求項１】
関連する識別子を有する遠隔ユニットから伝送をルート指定するためのワイヤレスキャリヤを選択する方法であって、遠隔ユニットの遠隔ユニット識別子を含む第１の登録要求を、遠隔ユニットから関連する識別子を有する第１の通信ルータに伝送し、遠隔ユニットのルータ識別子をも含む第１の登録要求を第１通信ルータから信号ネットワークを介してゲートウェイルータに伝送し、遠隔ユニットの第１の登録要求をゲートウェイルータからデータインターフェースを介してプラットフォームに伝送し、プラットフォームにて、第１通信ルータが好ましいサービスプロバイダにより動作せしめられているかどうかを決定し、そしてこの決定ステップが、プラットフォームデータベース内で遠隔ユニット識別子についてサーチし、プラットフォームデータベース内で第１通信ルータ識別子についてサーチし、もしも第１通信ルータが好ましいサービスプロバイダにより動作せしめられていなければ、サービスの拒否をプラットフォームからデータネットワークを介してゲートウェイルータに伝送し、このサービスの拒否をゲートウェイルータから信号ネットワークを介して第１通信ルータに伝送し、サービスの拒否を第１通信ルータから遠隔ユニットに伝送する諸ステップを含むことを特徴とするワイヤレスキャリヤ選択方法。
【請求項２】
前記プラットフォームが遠隔ユニットに対して認可されたサービスを記憶するためのデータベースを備えており、そして前記諸ステップに加えて、プラットフォームデータベースから遠隔ユニットに対して認可されたサービスを検索するステップを含み、前記の第１通信ルータが好ましいサービスプロバイダにより動作せしめられているかどうかを決定するステップが、データベース内で遠隔ユニットに対して認可されたサービスについてサーチするサブステップを含む請求項１記載のワイヤレスキャリヤ選択方法。
【請求項３】
前記の第１通信ルータが好ましいサービスプロバイダにより動作せしめられているかどうかを決定するステップが、タイミング事象の発生を考慮するサブステップを含む請求項１記載のワイヤレスキャリヤ選択方法。
【請求項４】
遠隔ユニットの第２の登録要求を、遠隔ユニットから第２の通信ルータに伝送し、遠隔ユニットの第２ルータ識別子をも含む第２登録要求を第２通信ルータから信号ネットワークを介してゲートウェイルータに伝送し、遠隔ユニットの第２登録要求をゲートウェイルータからデータインターフェースを介してプラットフォームに伝送し、プラットフォーム
にて、第２通信ルータが好ましいサービスプロバイダにより動作せしめられているかどうかを決定し、そしてこの決定ステップが、プラットフォームデータベース内で遠隔ユニットについてサーチし、プラツトフォームデータベース内で第２通信ルータ識別子についてサーチし、もしも第２通信ルータが好ましいサービスプロバイダにより動作せしめられていれば、サービスの認可をプラットフォームからデータネットワークを介してゲートウェイルータに伝送し、このサービスの認可をゲートウェイルータから信号ネットワークを介して第１通信ルータに伝送しサービスの認可を第２通信ルータから遠隔ユニットに伝送するステップを含む請求項１記載のワイヤレスキャリヤ選択方法。
【請求項５】
前記諸ステップに加えて、遠隔ユニットがサービスの認可を受信することに応答して、遠隔ユニットから登録を開始するステップを含む請求項４記載のワイヤレスキャリヤ選択方法。
【請求項６】
前記の第２通信ルータが好ましいサービスプロバイダにより動作せしめられているかどうかを決定するステップが、プラツトフォームデータベース内で遠隔ユニットに対して認可されたサービスについてサーチするサブステップを含む請求項４記載のワイヤレスキャリヤ選択方法。
【請求項７】
前記の第２通信ルータが好ましいサービスプロバイダにより動作せしめられているかどうかを決定するステップが、タイミング事象の発生を考慮するサブステップを含む請求項４記載のワイヤレスキャリヤ選択方法。
【発明の詳細な説明】
【技術分野】
【０００１】
本発明は、遠距離通信ネットワークの情報の認証、ルーティング、収集、及び伝達に関し、更に詳細には、本発明は伝送の認証及びルーティング、並びに多数の遠隔サイト及び限定された数のホストサイトの間の情報伝達のための方法とシステムに関する。
【背景技術】
【０００２】
セルラまたは無線通信システムの稼働率の増大は、無線通信技術を使用するように設計されているアプリケーションの数の増加をもたらした。特に、広範囲にわたるサービスを必要とする情報サービスアプリケーションは、無線にせよ有線にせよ、至る所にある通信システムの存在に依存するように設計されていた。無線技術の一般化は、本質的に移動式であるアプリケーション及び多数の遠隔ロケーションを有するアプリケーションのための増大した通信能力を可能にした。この種のアプリケーションは、テレメトリアプリケーション（例えば、機器リース業界の警報及び追跡システム、並びに輸送・鉄道業界のコンテナ追跡システム）を含む。これらのアプリケーションでは、一般に、何百何千もの遠隔移動ユニットが、１または複数のホストロケーションと通信しなければならない。
【０００３】
多くのアプリケーションのために、遠隔ユニットへの／からの未認証の伝送を防ぎ、情報が適当なデスティネーションにルーティングできることを保証する制御された環境を有することが望ましい。例えば、テレメトリアプリケーションでは、移動ユニットは所定のホストロケーションだけと通信し、他のロケーションからの伝送を自由に開始または受信できないようにすることが可能となる。また、移動ユニットのロケーションまたは外部のビジネス条件の変更に基づいて、移動ユニットからの伝送が認証されたデスティネーションにルーティングできることを保証することが望ましい。
【発明の概要】
【発明が解決しようとする課題】
【０００４】
多数のサービスプロバイダの今日の環境では、特に無線領域において、キャリアが互いに接続する方法の共通要素がない。ネットワークサービスプロバイダによる標準の機能の一貫した設定への準拠なしに、制御された環境で必要な認証及びルーティング、または情報の収集及び伝達を扱う単一の方法はない。ネットワークが異なる動作する無線サービス領域の間で移動ユニットが動くとき、問題はより大きくなる。制御された環境での情報のルーティング、認証、及び伝達は、異なる規格が多い国際的な設定において、より困難でさえある。
【０００５】
従って、制御された環境で伝送を認証してルーティングする手段を提供することが望ましい。特に、多数の遠隔ユニット並びに無線及び有線ネットワークを利用している限定された数のホストロケーションの間の伝送を認証してルーティングする手段を提供することが望ましい。特に、無線通信環境で（遠隔ユニットへの／からの）未認証の伝送の可能性を減少させるような方法で、伝送を認証してルーティングする手段を提供することが望ましい。また、制御された環境で情報を収集し伝達するための手段を提供することが望ましい。制御された環境のアプリケーションまたはサービスのための、全国的または国際的な通信ソリューションを可能にする、情報を認証し、ルーティングし、収集し、伝達するための至る所にある手段を提供することは、更に望ましい。
【課題を解決するための手段】
【０００６】
本発明は、制御された環境で伝送を認証し、ルーティングし、伝達するための方法論を提供することにより、それらの要求を満たす。
【０００７】
伝送を認証してルーティングするのための本発明による方法は、ソース識別子及びルータ識別子を通信ネットワーク全体のプラットフォームに伝送し、プラットフォームで記憶されたソース識別子、ルータ識別子、及びプロファイルに基づいて、デスティネーションに対応するルーティング番号をプラットフォームで決定し、ルーティング番号を通信ネットワークのルータに伝送し、ルーティング番号を使用して遠距離通信ネットワークを経由する伝送をルーティングするステップから成る。本発明による他の方法は、ソースから遠距離通信ネットワークへの伝送をルーティングし、プラットフォームにルーティング命令を問い合わせ、プラットフォームで記憶されたソース識別子、ルータ識別子、及びブロファイルに基づいてプラットフォームでルーティング番号を決定し、ルーティング番号を通信ネットワークのルータに伝送し、ルーティング番号を使用して遠距離通信ネットワークを経由する伝送をルーティングするステップから成る。
【０００８】
伝送を収集して伝達するための本発明による方法は、ソースによりダイヤルされる１組のディジットをプラットフォームにルーティングし、ディジットがデスティネーション、イベントトリガ、または記憶されて転送される内容を表すかどうかをプラットフォームで決定し、その決定に基づいて動作するステッブから成る。
【０００９】
ソースからの伝送をルーティングして認証するための本発明による方法は、ソースからプラットフォームへデータネットワークを経由してデスティネーションに対応するルーティング番号に対する要求を伝送し、ソースがデスティネーションに伝送されるように認証されるどうかをプラットフォームで決定し、ルーティング番号を、デスティネーションにサービスを提供してプラットフォームでルーティング番号を記憶しているルータから取得し、伝送を開始するためにソースに信号を送るステップから成る。本発明による他の方法は、ルーティング番号をソースに伝送するステップを更に含む。
【００１０】
装置及びネットワークがまた、本発明の方法論を実行するために提供される。
本発明によりもたらされる利点は多い。遠隔ユニット及びホストデスティネーションに対応するプロファイル情報を記憶するプラットフォームを提供することにより、本発明は遠隔ユニット及びホストロケーションの間の両方向の伝送を認証してルーティングする方法を提供する。プラットフォームにいくつかのインターフェースを定めることにより、本発明は制御された環境の至る所にある認証及びルーティング能力を考慮に入れ、無線ネットワークの機構の一貫性がない稼働率の問題を解決する。本発明はまた、伝送が制御された環境のホストに収集され伝達されなければならないか否かを決定する方法を提供する。
本発明の上記の要求、他の要求、特徴、及び利点は、添付の図面を参照して、好ましい実施例の以下の詳細な説明から、当業者により容易に認められる。
【図面の簡単な説明】
【００１１】
【図１】図１は、本発明による認証及びルーティング方式が実施されることができるネットワークの高水準ブロック図である。
【図２】図２は、伝送をルーティングして認証するための本発明による方法を図示しているフローダイアグラムである。
【図３】図３は、伝送をルーティングして認証するための本発明による方法の追加のステップを図示しているフローダイアグラムである。
【図４】図４は、伝送をルーティングして認証するため本発明によるの他の方法を図示しているフローダイアグラムである。
【図５】図５は、伝送をルーティングして認証するための本発明による更に他の方法を図示しているフローダイアグラムである。
【図６】図６は、ソースによりダイヤルされるディジットを利用して伝送をルーティングして認証するための本発明による方法を図示しているフローダイアグラムである。
【図７】図７は、ソースによりイベントを誘発するために、ダイヤルされるディジットを利用して伝送をルーティングして認証するための本発明による方法を図示しているフローダイアグラムである。
【図８】図８は、伝送内容を収集して伝達する本発明による方法を図示しているフローダイアグラムである。
【図９】図９は、伝送内容を収集して伝達する本発明による方法を図示している他のフローダイアグラムである。
【図１０】図１０は、伝送内容を収集して及び伝達する方法を図示している本発明による更に他のフローダイアグラムである。
【図１１】図１１は、デスティネーションにソースへの伝送を開始することを要求するための本発明による方法を図示しているフローダイアグラムである。
【図１２】図１２は、伝送を認証してルーティングするための本発明による方法を図示しているフローダイアグラムである。
【図１３】図１３は、本発明による認証及びルーティング方式が実施できるネットワークの高水準ブロック図である。
【図１４】図１４は、伝送を認証してルーティングするための本発明による方法を図示しているフローダイアグラムである。
【図１５】図１５は、伝送を認証してルーティングするための本発明による他の方法を図示しているフローダイアグラムである。
【図１６】図１６は、遠隔ユニットを本発明によるサービス上のレジスタに配向するための方式が実施できるネットワークの高水準ブロック図である。
【図１７】図１７は、遠隔ユニットを本発明によるサービス上のレジスタに配向する方法を図示しているフローダイアグラムである。
【発明を実施するための形態】
【００１２】
図１は、一般に参照番号１０により示される、本発明が動作できるネットワークの高水準ブロック図を示す。ネットワーク１０は、遠隔ユニット１２及びホスト１４の間の双方向通信を可能にする。遠隔ユニット１２は、例えば、設備の警報及び追跡システムで建設機械の賃貸された部分に取り付けることができ、または輸送追跡システムでコンテナに取り付けることができる。例えば、ホスト１４は、コンテナ追跡アプリケーションの一部としてロケーション及び状況情報を追跡する集中型コンピュータ、または設備の警報アプリケーションの一部として警報に応答するシステムであってもよい。遠隔ユニット１２はルータ１６によりサービスを提供され、それによって通信リンク１８を通じて通信する。図１に図示されるように、遠隔ユニット１２は移動または無線デバイスであってもよく、そのルータ１６はMobile Switching Center（ＭＳＣ）であってもよく、リンク１８は無線リンクであってもよい。ＭＳＣは、他の無線デバイス及び有線デバイスへの接続経路を決定する無線システムの伝送を処理する。図１は遠隔ユニット１２及びルータ１６を無線システムの一部として図示するが、本発明が有線及び無線遠隔ユニットに等しく適用できること、及びルータ１６が如何なる型の（無線または有線の）ルータまたはスイッチであってもよいことは理解されなけれはならない。
【００１３】
ルータ１６は、遠隔ユニット１２と関連があるプロファイル情報を記憶するためのデータベース２０を維持する。データベース２０は、ルータ１６または別のエンティティの一部であってもよい。本発明によると、遠隔ユニット１２が移動ユニットでありルータ１６がＭＳＣであるとき、データベース２０はVisiting Location Register（ＶＬＲ）であってもよい。後述するように、本発明による無線システムの全ての移動ユニットは、常にローミング中であるかまたは「巡回中」であると考えられる。
【００１４】
遠隔ユニット１２が伝送（それは音声、データ、またはビデオ伝送であってもよい）を開始するとき、ルータ１６は通信リンク１８上で伝送を受信する。後述するように、多くの通信及び／またはデータメッセージはネットワークの内部で伝送の完了を可能にするために伝送できる。伝送はまた、ルータ１６から１または複数の遠距離通信ネットワークを経由してホスト１４まで伝達される。例えば、図１で図示したように、ルータ１６は情報を通信リンク２２に沿ってLocal Exchange Carrier（ＬＥＣ）ネットワーク２４に伝送し、ＬＥＣネットワーク２４は情報を通信リンク２６に沿ってInterexchange Carrier（ＩＸＣ）ネットワーク２８に伝送し、ＩＸＣネットワーク２８は情報を通信リンク３０に沿ってホスト１４に伝送する。同様に、ホスト１４が遠隔ユニット１２への伝送を開始するとき、伝送はＩＸＣネットワーク２８への通信リンク３０を通過し、ＩＸＣネットワーク２８は通信リンク２６上の情報をＬＥＣネットワーク２４に伝送し、ＬＥＣネットワーク２４は通信リンク２２上の情報をルータ１６に伝送する。伝送を完了するために、ルータ１６は遠隔ユニット１２への通信リンク１８上の情報を伝送する。
【００１５】
遠隔ユニット１２への／からの伝送の認証及びルーティングを可能にし、情報の収集及び伝達を実行するために、本発明によるネットワークはプラットフォーム３４を含む。図１に図示されるように、プラットフォーム３４は少なくとも２つの機能（処理機能３６、及びデータベース機能３８）を含む。機能３６及び３８は、設備の１つの部分の内部の同じ場所に配置されることができるか、または同じ場所に配置されることができない。例えば、プロセッサ３６はサービス制御点（ＳＣＰ）であってもよく、それは遠距離通信ネットワークの伝送に関する通信情報を提供するために記憶されたデータと相互に作用する。例えば、データベース３８はHome Location Register（ＨＬＲ）（無線ネットワークのための加入者情報を記憶するデータベース）であってもよい。
【００１６】
プラットフォーム３４は、いくつかのインターフェースを通してネットワークの他の要素に接続する。ＩＸＣネットワーク２８は、通信インターフェース３２を経由してプラットフォーム３４に接続する。後述するように、ＩＸＣネットワーク２８は、通信インターフェース３２上のプラットフォーム３４からの伝送のためのルーティング命令を要求できる。例えば、ＩＸＣネットワーク２８により使用される通信ネットワークによって、通信インターフェース３２はSignaling System 7（ＳＳ７）プロトコルまたは他のどの通信プロトコルも使用できる。
【００１７】
本発明による実施例では、プラットフォーム３４は通信ネットワーク４０を経由してルータ１６と通信する。通信ネットワーク４０全体の通信メッセージの伝送は、遠隔ユニット１２への／からの伝送のルーティング及び認証を容易にし、またプラットフォーム３４が遠隔ユニット１２及びルータ１６からのデータを収集して記憶することを可能にする。ルータ１６が無線ルータまたはスイッチである場合には、通信ネットワーク４０で伝送されるメッセージはＩＳ‐４１プロトコルを使用できる。ＩＳ‐４１は、ＨＬＲ及びＶＬＲの間の伝送管理のために使用されるＴＩＡ規格プロトコルである。従って、本発明によると、全ての無線遠隔ユニットは、データベース２０（それは無線環境のＶＬＲである）及びプラットフォーム３４（それはデータベース３８を含み、無線環境のＨＬＲの機能を有する）の間の通信を可能にするために巡回中であると考えられる。現在、改訂版Ａ、Ｂ、及びＣを含む無線設備で動作しているＩＳ‐４１のいくつかのバージョンがある。ＡＮＳＩ４１は、ＩＳ‐４１改訂版Ｃの標準化されたバージョンである。ＩＳ‐４１の同じバージョンを動かしている２つのスイッチでさえ、必ずしも全く同じ機構セットを有するというわけではない。通信ネットワーク４０はまた、ＩＳ−４１の代わりにGlobal System for Mobile Communication（ＧＳＭ）を使用できる。通信ネットワーク４０はまた、メッセージの伝達を可能にする如何なる型のデータネットワーク（例えば、Ｘ．２５ネットワーク）であってもよい。
【００１８】
また、本発明により、プラットフォーム３４はデータネットワーク４２を経由してホスト１４と通信する。後述するように、データネットワーク４２は、ホスト１４から遠隔ユニット１２への伝送のルーティング及び認証を容易にする。データネットワーク４２は、ホスト１４及びプラットフォーム３４の間のメッセージを伝送し、それゆえにメッセージの伝送を可能にする如何なる型のデータネットワークであってもよい。特に、データネットワーク４２は、送信メッセージにインターネットプロトコル（ＩＰ）を使用できる。データネットワーク４２はまた、Ｘ．２５ネットワークまたは他のどのデータ若しくは通信ネットワークでもあってもよい。
【００１９】
本発明によると、遠隔ユニット１２からの伝送をルーティングして認証するいくつかの方法があり、その全てはプラットフォーム３４での処理を含む。図２は、本発明によって、伝送をルーティングする方法を図示する。図２では、遠隔ユニット１２が伝送を開始する前の時間のいくつかの点で、遠隔ユニット１２はルータ１６に名前を登録する。次にルータ１６は、登録情報を通信ネットワーク４０上のプラットフォーム３４に伝送する。登録情報は、遠隔ユニット識別及び選択的にルータ識別を含む。ルータ１６が無線デバイスであるとき、遠隔ユニット１２の登録は自発的な登録を使用して発生できる。この場合、プラットフォーム３４におけるデータベース３８は、ＨＬＲの機能を含む。従って、遠隔移動ユニットが起動させられるかまたは新しいサービス領域に入るときはいつでも、遠隔ユニットの登録が発生する。遠隔ユニット識別は、遠隔ユニットと関連する多くの番号の系列（例えば、遠隔ユニットのMobile Identification Number、ＭＩＮ）及びElectronic Serial Number、ＥＳＮを含むことができる。ルータ識別は、実際のルータを特定している識別子に加えて、領域またはルータによりサービスを提供されるネットワークのロケーションを含むことができる。
【００２０】
図２に図示されるように、プラットフォーム３４はルータ１６から通信ネットワーク４０上の登録情報を受信すると、即座に、遠隔ユニット１２と関連があるプロファイルを決定する。プロファイル情報はデータベース３６に記憶され、ブロファイルはいくつかのパラメータに基づいて遠隔ユニットに対して認証されるサービスのリストを含む。タイミングイベントの発生と同じく、サービスは遠隔ユニットの識別子及びロケーション、ルータの識別子及びロケーション、及びホストコンピュータの識別子及びロケーションに基づいて認証される。受信される登録情報、データベース３８に記憶されるプロファイル情報、及び起こりうる外部のイベントに基づいて、ブロセッサ３６は遠隔ユニット１２からの伝送が終端することになっているホストを決定する。本発明によると、プラットフォーム３４は遠隔ユニット識別及び次の情報（登録の間にプラットフォーム３４により受信されたルータ識別、遠隔ユニットに対して認証されるサービス、及びタイミングイベント）の少なくとも１つを使用して適当なホストデスティネーションを決定する。
【００２１】
本発明によって、遠隔ユニット識別及びルータ識別は、適当なホストデスティネーションを決定するために組み合せて使用される。例えば、ルータまたはサービス領域の第２の組によりサービスを提供されるとき、ルータまたはサービス領域の第１の組によりサービスを提供される特定の遠隔ユニットからの伝送が１つのデスティネーションにルーティングされ、同じ遠隔ユニットからの伝送が第２のデスティネーションにルーティングされることが望ましい。従って、本発明によるネットワークを使用しているアプリケーションが警報システムである場合、デスティネーションホストは、遠隔ユニットにサービスを提供しているルータを識別することにより決定されるように、送信を試みる遠隔ユニットだけでなく遠隔ユニットのロケーションにも基づいて選択される。このように、遠隔ユニットにより送信される警報に応答するための適当なホストが選択できる。
【００２２】
また、本発明によると、プラットフォーム３４は、データベース３８をサーチすることによりその遠隔ユニットのために認証されるサービスを決定するために、遠隔ユニット識別を使用できる。異なる遠隔ユニットは異なるサービスに登録することができ、異なるホストは異なるサービスと関連して使用されることができ、この結果、遠隔ユニットからの伝送のための適当なデスティネーションホストは、認証されるサービスに基づいてデータベース３８で記憶されたように変化できる。加えて、遠隔ユニットがサービスに登録する場合であっても、サービスがアタティブではないかもしれないので、サービスがアタティブでない場合、プラットフォーム３４はサービスを認証しない。更に、認証されたサービスでさえ、例えば、遠隔ユニットにサービスを提供しいるルータの能力に基づいて利用可能ではないかもしれない。従って、どのサービスが特定の遠隔ユニットのために認証されるか、及びどのホストが認証されたサービスに基づいて遠隔ユニットからの伝送を受信しなければならないか決定しているとき、プラットフォーム３８はこれらのファクタの全てを考慮する。
【００２３】
本発明によって、プラットフォーム３４はまた、適当なホストデスティネーションを決定するために遠隔ユニット識別と関連してタイミングイベントを考慮できる。デスティネーションは、特定の遠隔ユニットのために時刻または曜日に基づいて変化できる。プラットフォーム３４はまた、タイミングイベントのタイムゾーンに基づいて、ホストのその選択を調節し、それは遠隔ユニット、ルータ、またはホストで発生できる。
【００２４】
図２に図示されるように、プラットフォーム３４が遠隔ユニット１２からの伝送のルーティングのための適当なデスティネーションを決定するならば、プラットフォーム３４はルータ１６に通信ネットワーク４０を経由してそのデスティネーションに対応するルーティング番号を伝送する。自発的な登録が使用される場合、デスティネーションルーティング番号は遠隔ユニット１２のためのデータベース２０のルータ１６で記憶される限定的プロファイルの一部である。これは「ホットライン」番号と呼ばれ、遠隔ユニットがどんな番号をダイヤルしても、伝送はデスティネーションにルーティングされる。本発明により制御された環境では、プラットフォーム３４はまた、通信ネットワーク４０を経由して、遠隔ユニット１２への如何なる伝送完了も拒否するルータ１６のための命令を伝送できる。従って、遠隔ユニット１２は伝送を開始できるだけで、如何なるソースからの如何なる伝送も受信することができない。
【００２５】
図２に図示されるように、遠隔ユニット１２が伝送を開始するとき、ルータ１６は伝送を受信して、遠距離通信ネットワークにルータ１６に記憶されるデスティネーションルーティング番号と一緒にそれをルーティングする。従って、遠隔ユニット１２は、プラットフォーム３４により決定されるホストのみと通信できる。図２は、ＬＥＯ２４を通してルータ１６からＩＸＣ２８までルーティングされる伝送を示す。しかし、ホストが同じＬＥＣによりルータとしてサービスを提供される場合、伝送は１ＸＣ２８を通してルーティングされる必要はない。或いは、ルータ１６がＩＸＣ２８への直接的な接続を有する場合、伝送はＬＥＯ２４を通してルーティングされる必要はない。
【００２６】
最後に、遠隔ユニットが異なるルータに移動すること無しに特定の遠隔ユニットのための適当なホストデスティネーションを変更するためにイベントが発生できるので、図３は、遠隔ユニット１２のためのルータ１６に、イベントの発生に応答して新しいデスティネーションルーティング番号を伝送しているプラットフォーム３４を図示する。例えば、遠隔ユニットのために認証されるサービスを記憶するデータベース３８が修正され、適当なホストデスティネーションの変更を引き起こす。また、遠隔ユニットのためのサービスの稼働率の変更があるかもしれない。加えて、タイミングイベント（例えば、特定の時刻の繰り返し）は、変更に適当なデスティネーションをもたらすことができる。これら全ての場合、プラットフォーム３４は新しいデスティネーションルーティング番号をルータ１６に伝送し、遠隔ユニット１２からの次の伝送は新しく決定されたデスティネーションにルーティングされる。
【００２７】
図４は、本発明による遠隔ユニット１２からの伝送をルーティングする他の方法を図示する。多数のホストデスティネーションがあるとき、この方法は有効である。ホストに対応するルーティング番号をルータに伝送するよりはむしろ、プラットフォーム３４はプラットフォーム３４自体に対応するルーティング番号を伝送する。次に、遠隔ユニット１２からの全ての伝送はプラットフォーム３４（それは、伝送のための適当なデスティネーションをリアルタイムに決定する）にルーティングされ、そのことは記載されている。
【００２８】
図２と同様に、図４はルータ１６にその識別子を送信することにより登録している遠隔ユニット１２を図示し、ルータ１６はそれをプラットフォーム３４に伝送する。遠隔ユニット識別子のその認証に基づいて、プラットフォーム３４はプラットフォーム３４に対応するルーティング番号をルータ１６に伝送する。選択的に、プラットフォーム３４はルータ１６に遠隔ユニット１２での完了を限定するように命令する。図２と関連して、図４の遠隔ユニット１２の登録は自発的な登録を使用して行うことができる。
【００２９】
図４を引き続き参照して、遠隔ユニット１２が伝送を開始するとき、ルータ１６は遠距離通信ネットワークに伝送をルーティングする。遠距離通信ネットワーク（例えば、図４で示すＩＸＣ）は、通信インターフェース３２によって、ブラットフォーム３４にルーティング要求を送信する。例えば、プラットフォーム３４に対応するルーティング番号が８００である場合、ＩＸＣ２８はＳＳ７のような通信インターフェースを通してルーティング命令を要求する。伝送がルーティングされるとき、遠隔ユニット識別は伝送と一緒に通過させられる。例えば、遠隔ユニットの数は、ＡＮＩとして伝送と一緒に通過させられる。ルーティング要求を発行しているとき、ＩＸＣ２８は遠隔ユニット識別子をプラットフォーム３４に伝送する。次に、プラットフォーム３４は、遠隔ユニット識別子に基づいて、遠隔ユニット１２からの伝送のための適当なホストデスティネーションを決定する。プラットフォーム３４はＩＸＣ２８に適当なホストと関連があるルーティング番号を返し、それはデスティネーションに伝送をルーティングする。
【００３０】
図４では、図２との関係で説明したように、適当なホストデスティネーションのプラットフォーム３４による決定は複雑でもよい。プラットフォームはまた、以前に記載されているように、遠隔ユニット及びあるタイミングイベントのために認証されるサービスを考慮できる。加えて、プラットフォーム３４はルータに関連した識別を考慮できる。ルータ識別を得るための２つの可能性がある。第１に、ルータ識別子は伝送と一緒に通過させられることができ、その結果、プラットフォーム３４はＩＸＣ２８からルータ識別子を受信する。第２に、プラットフォーム３４は適当なデスティネーションを決定するために、現在登録されているロケーションを使用できる。現在登録されたロケーションは登録プロセスからのルータ識別子であり、それはデータベース３８のプラットフォーム３４で記憶される。プラットフォーム３４がＩＸＣ２８からのルーティング命令のための要求を受信するとき、プラットフォーム３４は、伝送のためのホストデスティネーションを決定する際に使用する記憶されたルータ識別子にアクセスする。
【００３１】
図５は、遠隔ユニット１２からの伝送をルーティングする本発明による更に他の方法を図示する。図５に図示されるように、ルータ１６は、そのデータベース内のプラットフォーム３４に対応するルーティング番号を記憶する。図２及び図４で図示したように、遠隔ユニット１２がルーティング番号を登録しないか、またはルータ１６がプラットフォーム３４からのルーティング番号を受信しない場合、ルータ１６はそれ自身のデータベースからルーティング番号を検索しなければならない。遠隔ユニット１２が伝送を開始するとき、それはルータ１６に遠隔ユニット識別子を送信する。次にルータ１６は、ルータデータベース２０でルーティング番号を得るために、遠隔ユニット識別子に基づいてサーチする。本発明によると、プラットフォーム３４に対応するルータ１６により得られるルーティング番号は、プラットフォーム３４が伝送をインターセプトして、最終的なルーティングデスティネーションを決定することを可能にする。
【００３２】
ルータ１６は、ＬＥＣ及びＩＸＣとして図５で図示されるように、１または複数の遠距離通信ネットワークを経由して伝送をルーティングする。遠隔ユニット識別子及び／またはルータ識別子は、伝送と一緒に伝送される。例えば、遠隔ユニット識別子は、Automatic Number Identifier（ＡＮＩ）として伝送できる。
【００３３】
プラットフォーム３４に対応するルーティング番号を認識すると同時に、ＩＸＣはプラットフォーム３４からルーティング命令を要求する。この要求を出しているとき、ＩＸＣは遠隔ユニット識別子、及びおそらくルータ識別子もプラットフォーム３４に転送する。次にプラットフォーム３４は、データベース３８の情報から、少なくとも遠隔ユニット識別子に基づく遠隔ユニット１２からの伝送のための適当なホストデスティネーションを決定する。以前に図４と関連して記載されているように、プラットフォーム３４はまた、ＩＸＣから通過させられるルータ識別子、ルータデータベースに記憶される認証されたサービス、及び／または外部のタイミングイベントに、適当なホストデスティネーションのその決定の基礎をおくことができる。プラットフォーム３４は、適当なホストに関連したルーティング番号をＩＸＣ２８に返し、それはデスティネーションに伝送をルーティングする。
【００３４】
遠隔ユニット識別子、及びＩＸＣ２８から受信されるルータ識別子に応答して、プラットフォーム３４は遠隔ユニット１２が未認証の伝送を開始していることを決定できる。ルータ１６及びプラットフォーム３４の間の通信ネットワークが無い場合、または遠隔ユニット１２が完全な登録を行わない場合には、この決定は有効である。遠隔ユニット１２に関してプラットフォーム３４が受信する唯一の情報は、ＩＸＣ２８から到着する。プラットフォーム３４が遠隔ユニット１２が未認証の伝送を開始していると決定する場合、プラットフォーム３４はルータ１６に遠隔ユニット１２からの伝送を限定するために命令を送信できる。通信ネットワークが無い場合、命令は他の手段（例えば、電子メール）を通して送信できる。加えて、プラットフォーム３４はＩＸＣ２８に現在の伝送を完了させるように命令できるか、またはプラットフォーム３４はホスト以外のデスティネーションに伝送をルーティングする命令を返すことができる。この代替のデスティネーションは、未認証の伝送を取り扱うインターセプト番号であってもよく、おそらく伝送が未認証であることを遠隔ユニット１２に示すことを記録する役割を果たす。
【００３５】
遠隔ユニット１２からホスト１４に伝送をルーティングして、認証して、及び伝達するための本発明による方法はまた、遠隔ユニット１２によりダイヤルされるディジットを利用できる。図６〜１０は、この種の方法を図示する。図６に図示されるように、遠隔ユニット１２は、１組のディジットをダイヤルすることにより伝送を開始する。１組のディジットは、０またはそれ以上のディジットであってもよい。遠隔ユニット１２が無線デバイスである場合、ゼロディジットは単にSENDボタンを押すことにより送信できる。ルータ１６は、ダイヤルされたディジットを受信し、通信ネットワーク４０を経由してそれらをプラットフォーム３４に伝送する。通信ネットワークを経由して無線デバイスからダイヤルされたディジットを送信する方法がある。例えば、ＩＳ‐４１において、ダイヤルされたディジットは、開始トリガまたは機構要求を使用して通過させられる。後者は、「＊」または「＊＊」により先行されるダイヤルされたディジットを要求する。
【００３６】
ダイヤルされたディジットを送信するために使用される方法に関係なく、本発明によるプラットフォーム３４は、記載されているように、ディジットを解釈して適当な動作をする。
【００３７】
図６を続けて参照すると、ダイヤルされた１組のディジット及び遠隔ユニット識別子の両方は、ルータ１６に伝送される。次にルータ１６は、ダイヤルされた１組のディジット、ソース識別子、及びおそらくルータ識別子を通信ネットワータ４０を経由してプラットフォーム３４に伝送する。プラットフォーム３４は、ダイヤルされたディジットがソース識別子、及びソースのために認証されるサービスのためのデータベース３８をサーチすることにより、デスティネーションに対応するか否かを決定する。例えば、データベース３８の情報は、ダイヤルされた１組のディジットがデスティネーションに対応するか否かを示す。プラットフォーム３４が、ダイヤルされたディジットがデスティネーションに対応すると決定する場合、プラットフォーム３４はまた、遠隔ユニット１２が対応するデスティネーションに送信することを認証されるか否かを決定できる。この決定はまた、両方ともデータベース３８に記憶されるソース識別子及びソースのために認証されるサービスのリストに基づく。ダイヤルされたディジットがデスティネーションに対応するか否かの決定及び伝送の認証はまた、前の図との関係で説明したように、タイミングイベントの発生に依存する。プラットフォーム３４がダイヤルされたディジットがデスティネーションに対応すること、及びその遠隔ユニット１２がそのデスティネーションに送信することを認証されると決定する場合、プラットフォーム３４はそのデスティネーションに対応するルータ１６にルーティング番号を伝送する。最後に、遠隔ユニット１２は、戻されたルーティング番号を使用して、遠距離通信ネットワークを経由してデスティネーションに伝送を開始する。
【００３８】
本発明によると、プラットフォーム３４はまた、ダイヤルされたディジットがイベントをトリガーすることを目的とするか否かを決定できる。この決定はソース識別子及びソースのために認証されるソースにまた依存し、それはデータベース３８に記憶される。選択的に、それが通信ネットワーク４０を経由してプラットフォーム３４に通過させられる場合、プラットフォーム３４はまた、ルータ識別子及びタイミングイベントの発生を考慮できる。図７は、ダイヤルされたディジットによりトリガーされるイベントの実施例を図示する。プラットフォーム３４は、ダイヤルされたディジットがデータベース２０のルータ１６で遠隔ユニット１２のためのプロファイルの一部として記憶されなければならない新しいルーティング番号を示すことを決定する。ダイヤルされたディジットは、新しいルーティング番号と同一である必要は必ずしもない。例えば、「１」または「＊１」は新しいルーティング番号が１つの８００番でなければならないことを示し、「２」または「＊２」は新しいルーティング番号が第２の８００番でなければならないことを示す。プラットフォーム３４は、新しいルーティング番号をデータベース３８から取得し、データベース２０に記憶されるためにそれを通信ネットワーク４０を経由してルータ１６に伝送する。遠隔ユニット１２からの次の伝送は、新しいルーティング番号を使用してルーティングされる。例えば、図２と関連して図示したように、新しいルーティング番号は、ルーティング番号が以前にデータベースに記憶されたデスティネーションから異なるホストデスティネーションまで対応できる。
【００３９】
また、本発明によると、プラットフォーム３４は、図８及び図９で図示したように、ダイヤルされたディジットが内容を表すか否かを決定できる。この決定はまた、ソース識別子及びソースのために認証されるサービスに依存し、それはデータベース３８に記憶される。選択的に、それが通信ネットワーク４０を経由してプラットフォーム３４に通過させられる場合、プラットフォーム３４はまた、ルータ識別子及びタイミングイベントの発生を考慮できる。図８で図示したように、プラットフォーム３４がダイヤルされたディジットが内容を表すと決定するならば、プラットフォーム３４はまた、それがダイヤルされたディジットを受信したとホスト１４に通知するべきか否かを決定する。プラットフォーム３４がホスト１４に通知すると決定する場合、ダイヤルされたディジットをプラットフォーム３４が受信したことを示すメッセージをホスト１４に伝送する。或いは、内容が直ちにホスト１４に伝送されるとダイヤルされたディジットが示すとプラットフォーム３４が決定するならば、プラットフォーム３４は単にダイヤルされたディジットをホスト１４に伝送できる。
【００４０】
図９は、プラットフォーム３４がダイヤルされたディジットが内容を表すと決定するならば、プラットフォーム３４がダイヤルされたディジットを記憶して、選択的にホストに伝送する本発明による方法を図示する。同様に、図１０では、プラットフォーム３４は記憶されたダイヤルされたディジットをホスト１４に伝送するが、ダイヤルされたディジットを伝送するためにホスト１４がプラットフォーム３４に要求または命令を送信する後にだけである。ホスト１４は、例えば、プラットフォーム３４から記憶された内容を周期的に要求できる。
【００４１】
図１１は、ダイヤルされたディジットがイベントをトリガーする、本発明による方法の他の実施例を図示する。このシナリオでは、遠隔ユニット１２は、ホスト１４がユニット１２に伝送を開始することを要求するために、ダイヤルされたディジットを送信する。遠隔ユニット１２は、ダイヤルされたディジット及びソース識別子をルータ１６に伝送する。ルータ１６は、ダイヤルされたディジット、ソース識別子、及びルータ識別子を通信ネットワーク４０を経由してプラットフォーム３４に伝送する。受信された情報、及び遠隔ユニットのために認証されるサービスを含むデータベース３８の情報に基づいて、プラットフォーム３４は、ダイヤルされたディジットが遠隔ユニット１２への伝送を開始するためのホスト１４に対する要求を表すと決定する。もし、ダイヤルされたディジットが伝送を開始するためにホスト１４を要求するなら、プラットフォーム３４は、通信ネットワーク４０を経由して、ルータ１６からルータ１６及び遠隔ユニット１２に対応するルーティング番号を要求する。ホスト１４が、遠隔ユニット１２にどのように伝送をルーティングするべきかについて知ることができるので、このステップは必要である。遠隔ユニット１２が無線ユニットである場合には、ルータ１６から要求されるルーティング番号は一時的なローカルディレタトリ番号（ＴＬＤＮ）である。ルータ１６がプラットフォーム３４に要求されたルーティング番号を伝送した後、プラットフォーム３４はデータネットワーク４２を経由してホスト１４に伝送要求を送信し、要求はルータ１６から取得されるルーティング番号を含む。ホスト１４は次に、ルーティング番号を使用して、遠隔ユニット１２への伝送を開始する。
【００４２】
図１１はまた、遠隔ユニット１２で完了をイネーブル／ディスエーブルするためのステップを図示する。登録の間、プラットフォーム３４が伝送完了を遠隔ユニット１２に対して制限する場合、図２と関連して記載されていたように、ホスト１４が遠隔ユニット１２への伝送を開始できる前に、プラットフォーム３４によって、遠隔ユニット１２が伝送を受信することを可能にしなければならない。
【００４３】
いったん伝送が完了すると、ホスト１４はルータ１６によりサービスを提供される遠隔ユニット１２への伝送が完了されたことをデータネットワーク４２を経由してプラットフォーム３４に通知する。或いは、ＩＸＣ２８は、伝送が完了されたことを通信インターフェース３２を経由してプラットフォーム３４に通知できる。次にプラットフォーム３４は、もう一度完了を遠隔ユニット１２に対して制限するために、命令を通信ネットワーク４０を経由してルータ１６に伝送する。
【００４４】
本発明によると、プラットフォーム３４はまた、ホスト１４から遠隔ユニット１２まで伝送のためのルーティング及び認証を提供する。図１２〜図１５は、この種の伝送をルーティングして認証する方法を図示する。本発明は、遠隔ユニットがサービス領域からサービス領域まで移動する無線ネットワークに固有のルーティング及び認証の問題に取り組む。図１２では、ホスト１４はプラットフォーム３４と通信するためにデータネットワーク４２を利用する。伝送を開始する前に、ホスト１４は、遠隔ユニット１２に対応するルーティング番号をデータネットワーク４２を経由してプラットフォーム３４に要求を伝送し、要求は遠隔ユニット識別子及びホスト識別子を含む。プラットフォーム３４は、ホスト１４が遠隔ユニット１２に送信することを認証されるか否かを決定できる。認証される場合、プラットフォーム３４は、遠隔ユニット１２にサービスを提供したためにプラットフォーム３４によって知られる最後のルータの識別子を決定する。自発的な登録が利用可能な場合、この識別子は遠隔ユニット１２に対しての最後の登録したルータ識別子である。プラットフォーム３４は、通信ネットワーク４０を経由して、ルータにルーティング番号に対する要求を伝送する。ルータは、ルータ及び遠隔ユニットに対応するルーティング番号に応答し、プラットフォーム３４はデータネットワーク４２を経由してホスト１４にこのルーティング番号を伝送する。図１１と関連して記載されているように、ルーティング番号はＴＬＤＮであってもよい。次にホスト１４は、ルーティング番号を使用して伝送を開始する。図１１と関連して論議されたように、図１２はまた、遠隔ユニット１２での完了のイネーブル及びディスエーブルを図示する。
【００４５】
図１３及び図１４は、ホスト１４から遠隔ユニット１２までの、本発明による伝送のルーティング及び認証のための他の方法を図示する。図１３は、データネットワーク４２の代わりにゲートウェイスイッチ４４を図示する。ホスト１４が日付ネットワーク４２とインターフェースする能力を有しない場合、ゲートウェイスイッチ４４はデータネットワーク４２のいくつかの機能を実行する。ゲートウェイスイッチ４４は、プラットフォーム３４の一部または別のプロセッサであってもよいが、明快さのために別のネットワーク部品として図示される。ゲートウェイスイッチ４４は、遠距離通信インターフェースを経由してＩＸＣ２８とインターフェースする。ゲートウェイスイッチ４４は、データネットワークインターフェースを経由してプラットフォーム３４とインターフェースする。
【００４６】
図１４で図示したように、ホスト１４は、遠隔ユニット１２に対応するルーティング番号をダイヤルすることにより、遠隔ユニット１２への伝送を開始する。
【００４７】
ゲートウェイスイッチ４４は、データネットワークインターフェースを経由して、プラットフォーム３４にルーティング番号に対する要求を伝送する。要求は、ホスト１４及び遠隔ユニット１２のための識別子を含む。伝送流れは図１２で続行し、プラットフォーム３４はルータ１６からのルーティング番号を要求し、それはＴＬＤＮであってもよい。しかし、プラットフォーム３４がルーティング番号を受信するとき、プラットフォーム３４はゲートウェイスイッチ４４にルーティング番号を伝送し、それは伝送を保持してる。次にゲートウェイスイッチ４４は、ルータ１６から取得されるルーティング番号を使用して、遠距離通信ネットワークを経由してルータ１６に伝送をルーティングする。伝送が完全なとき、ゲートウェイスイッチ４４はプラットフォーム３４に通知するので、遠隔ユニット１２への完了がディスエイブルされる。
【００４８】
図１５は、ホスト１４から遠隔ユニット１２まで伝送をルーティングして認証する他の代わりを図示する。このシナリオでは、ホスト１４はプラットフォーム３４に伝送要求を送信し、ホスト１４は伝送要求をルータ１６から取得するが、ホスト１４にルーティング番号を伝送する代わりに、プラットフォーム３４はルーティング番号をそれ自身のデータベースに記憶する。次にプラットフォーム３４は、ホスト１４が遠隔ユニット１２に送信することを認証されるか否かを決定する。伝送が認証される場合、プラットフォーム３４はそれが伝送を開始できるデータネットワーク４２を経由してホスト１４に信号を送る。ホスト１４は伝送を開始して、ホスト識別子及び遠隔ユニット識別子を伝送する。遠隔ユニット識別子に基づいて、ＩＸＣ２８はプラットフォーム３４からルーティング命令を要求する。プラットフォーム３４は、以前にルータ１６から取得してそのデータベースに記憶していたルーティング番号をＩＸＣ２８に返す。次に、ＩＸＣ２８は伝送を完了する。
【００４９】
本発明によるプラットフォーム３４の他の機能は、遠隔ユニット１２をそれが最初に登録しようとするものと異なるサービス上のレジスタに配向する能力である。図１６及び図１７は、再配向サービス登録ための方法を図示する。図１６では、２つのルータ１６及び１７は、２つの異なるサービスプロバイダにより操作される。遠隔ユニット１２は、それぞれ、ルータ１６及びルータ１７と通信リンク１８及び１９を経由して通信できる。それぞれ、ルータ１６及び１７はデータベース２０及び２１と関連し、それらはルータまたは別のエンティティの一部であってもよい。ルータ１６及び１７は、通信ネットワーク４０を経由してゲートウェイルータ４６と通信する。図１７と関連して後述するように、ゲートウェイルータ４６は遠隔ユニット１２から始められる登録要求を解釈し、データインターフェース（明快さのために特に図示されない）を経由してプラットフォーム３４と通信する。ゲートウェイルータ４６は、プラットフォーム３４または別のプロセッサの一部であってもよいが、明快さのために別のエンティティとして図示される。
【００５０】
図１７は、本発明によって、サービスプロバイダを選択する方法を図示する。遠隔ユニット１２（それは無線デバイスである）は、ルータ１７に登録のための要求を伝送する。例えば、登録要求は、Cellular Digital Packet Data（ＣＤＰＤ）ネットワークで提供される。本発明による実施では、ルータ１６及び１７は従来のセルラ及びＣＤＰＤ両方のサービスを実施できる。しかし、登録要求機構が存在する限り、本発明はＣＤＰＤネットワークに限定されない。
遠隔ユニット１２からの登録要求を受信すると同時に、ルータ１７は通信ネットワーク４０を経由してゲートウェイルータ４６に要求を伝送し、要求は遠隔ユニット１２に関連した識別子及びルータ１７に関連した識別子を含む。ＣＤＰＤネットワーク環境では、ゲートウェイルータ４６は、ルータ１７及び１８により伝送される登録要求を受信できるMobile Data intermediate Syste（ＭＤＩＳ）であってもよい。次にゲートウェイルータ４６は、データインターフェースを経由してプラットフォーム３４に登録要求を送信し、それは固有のインターフェースであってもよい。ルータ１７を操作しているサービスプロバイダが好ましいプロバイダでない場合、プラットフォーム３４はそのプロバイダへのアクセスを拒否する応答を伝送する。プラットフォーム３４は、遠隔ユニット識別子及びルータ識別子のためのデータベース３８をサーチすることにより、サービスプロバイダが好ましいか否かを決定する。そして、それは登録要求と一緒に通過させられた。プラットフォーム３４は、また遠隔ユニット及びタイミングイベントの発生に対して認証されるサービスを考慮できる。
【００５１】
プラットフォーム３４からサービスの拒否を受信すると同時に、ゲートウェイルータ４６はルータ１７に対するサービスの拒否を伝送し、ルータ１７は遠隔ユニット１２にサービスの拒否を伝送する。次に遠隔ユニット１２は、ルータ１９を経由する登録を試みる。登録要求はプラットフォーム３４に前の通り伝送され、プラットフォーム３４がルータ１９を操作しているサービスプロバイダが好ましいと決定する場合、プラットフォーム３４は、データインターフェースを経由して、ゲートウェイルータ４６にサービスの認証を伝送する。ゲートウェイルータ４６はルータ１９へサービスの認証を伝送し、ルータ１９は遠隔ユニット１２にサービスの認証を伝送する。次に遠隔ユニット１２は、ルータ１９を使用して登録し、登録プロセスは図２と関連して記載されているものと全く同じである。
【００５２】
本発明の精神と範囲から逸脱すること無く、種々の修正及び変更が本発明の伝送認証及びルーティング方式になされることは、この技術に熟練した当業者にとって明らかである。発明の他の実施例は、仕様を考慮すること及びここで開示される発明の実施から、この技術に熟練した当業者にとって明らかである。仕様及び実施例は典型的なだけであるとみなされ、発明の真の範囲及び精神については、以下の請求項により示される。
【符号の説明】
【００５３】
１０      ネットワーク
１２      遠隔ユニット
１４      ホスト
１６      ルータ
１８      リンク
２０      データベース
２２      通信リンク
２４      ＬＥＣネットワーク
２８      ＩＸＣネットワーク
３０      通信リンク
３４      プラットフォーム
３６      処理機能
３８      データベース機能
４２      データネットワーク
４６      ゲートウェイルータ
【図１】
2011193478.tif 000003
【図２】
2011193478.tif 000004
【図３】
2011193478.tif 000005
【図４】
2011193478.tif 000006
【図５】
2011193478.tif 000007
【図６】
2011193478.tif 000008
【図７】
2011193478.tif 000009
【図８】
2011193478.tif 000010
【図９】
2011193478.tif 000011
【図１０】
2011193478.tif 000012
【図１１】
2011193478.tif 000013
【図１２】
2011193478.tif 000014
【図１３】
2011193478.tif 000015
【図１４】
2011193478.tif 000016
【図１５】
2011193478.tif 000017
【図１６】
2011193478.tif 000018
【図１７】
2011193478.tif 000019